(57)【要約】【課題】組み立て作業が便利で不良品の発生率が低い上、低コスト化且つ軽量化できる発光装置及び該発光装置を備えたバックライトモジュールの提供。【解決手段】一側に開口を有している断面コ字形の反射フレームの前記開口の反対側の側壁に、発光手段が設置されている発光装置であって、前記反射フレームは、ポリエステルシートからなる外面層と反射フィルムからなる内面層とにより形成されており、前記発光手段は、回路基板と該回路基板の一面に取り付けられている複数の発光ユニットとからなり、且つ、前記回路基板が前記側壁の外にあり、前記複数の発光ユニットがそれぞれ前記側壁を貫通して前記反射フレームの内側に露出するように設置されていることを特徴とする発光装置及び該発光装置を備えたバックライトモジュールを提供する。【選択図】図１
2012054008.tif 000002
【特許請求の範囲】
【請求項１】
一側に開口を有している断面コ字形の反射フレームの前記開口の反対側の側壁に、発光手段が設置されている発光装置であって、
前記反射フレームは、ポリエステルシートからなる外面層と反射フィルムからなる内面層とにより形成されており、
前記発光手段は、回路基板と該回路基板の一面に取り付けられている複数の発光ユニットとからなり、且つ、前記回路基板が前記側壁の外にあり、前記複数の発光ユニットがそれぞれ前記側壁を貫通して前記反射フレームの内側に露出するように設置されていることを特徴とする発光装置。
【請求項２】
前記側壁には、複数の通孔が、前記複数の発光ユニットに対応して、且つ、それぞれ前記外面層及び前記内面層を一斉に貫通するように形成されており、
また、前記複数の発光ユニットは、前記複数の通孔より前記反射フレーム内に露出していることを特徴とする請求項１に記載の発光装置。
【請求項３】
前記複数の発光ユニットは、いずれも発光ダイオードモジュールであることを特徴とする請求項２に記載の発光装置。
【請求項４】
前記内面層である反射フィルムは、ポリエチレンテレフタレート材からなったものであって、前記外面層であるポリエステルシートに貼り付けられており、また、その前記貼付けによって外部に露出する面には銀塗料が塗布されていることを特徴とする請求項２または請求項３に記載の発光装置。
【請求項５】
請求項１〜請求項４のいずれか一項に記載の発光装置と、
光進入面と、該光進入面とそれぞれ直交している光反射面及び光出力面とを有していて前記光進入面から光を導入して前記光出力面から出射することができる導光体と、からなり、
且つ、前記導光体は、前記開口から、前記光進入面が前記複数の発光ユニットに臨むように前記反射フレーム内に貫挿されていることを特徴とするバックライトモジュール。
【請求項６】
前記導光体は、板状体に形成されており、
前記導光体における光進入面も、前記反射フレームにおける側壁の前記導光体に面している一面も、平面であり、
前記複数の発光ユニットは、前記反射フレームにおける側壁からそれぞれ突出して一列に並び、
また、前記反射フレームは、前記側壁の側から、前記導光体の該側壁に近い周縁を、前記一列になっている複数の発光ユニットが前記導光体における光進入面と平行になるように挟んでいることを特徴とする請求項５に記載のバックライトモジュール。
【請求項７】
前記導光体の前記周縁にある反射面と前記反射フレームの前記周縁を挟んでいる箇所との間に、更に反射シートが介在していることを特徴とする請求項６に記載のバックライトモジュール。
【請求項８】
取付座を更に備えており、
該取付座は、互いに直交している第一の側板と第二の側板とからなっており、且つ、該第一の側板が前記反射フレームにおける前記側壁と共に前記回路基板を挟み、該第二の側板が前記光反射面から前記導光体を保持するように配置されていることを特徴とする請求項６または請求項７に記載のバックライトモジュール。
【発明の詳細な説明】
【技術分野】
【０００１】
本発明は、発光装置及び該発光装置を備えたバックライトモジュールに関し、特に、発光ダイオードを利用することに適し、且つ軽量化した発光装置及び該発光装置を備えたバックライトモジュールに関する。
【背景技術】
【０００２】
液晶ディスプレイは、バックライトモジュールに冷陰極管を発光手段として用いるのが主流であったが、近年では小型化しやすい白色ＬＥＤも採用されるようになっている。
しかし、ライン状光源である冷陰極管を点光源であるＬＥＤで替えるには、設計の変更が必要であり、例えば一連のＬＥＤを並べる上、それらを反射手段と共に保持する必要がある。
【０００３】
ところで、特許文献１ではポリエチレンテレフタレートシートに反射塗料を塗布してなる可撓性のある反射手段が提案されている。このような構成をバックライトモジュールの反射手段に採用すると、ＬＥＤの発光を集中してより多くバックライトモジュールの導光手段に送ることができるが、可撓性を有しているため、変形し易く、一連のＬＥＤを並べた部材を安定して保持できる構成に形成することは難しい。このため、業界では図４に示されているバックライトモジュールの構成が提案された。
【０００４】
このバックライトモジュール１は、金属フレーム１１と、一側に開口を有している断面コ字形に形成されていると共に金属フレーム１１内に配置されている金属サポータ１２と、金属サポータ１２の底面（即ち前記開口の対面）に取り付けられている発光手段１３と、一側に開口を有する断面コ字形であり、且つ、その開口の反対側にある側壁１４５が発光手段１３の発光部１３２を露出させる通孔１４３を有するように形成されている上、側壁１４５が発光手段１３の回路基板１３１に当たるように、金属サポータ１２内に挟まれていて金属サポータ１２により支持されている反射シート１４と、金属フレーム１１と結合しているプラスチックフレーム１６と、金属フレーム１１とプラスチックフレーム１６との間に挟まれ、その一側面が発光手段１３の発光部１３２に面している導光手段１５とを有している。反射シート１４は、ポリエチレンテレフタレート層１４１と反射塗料層１４２とからなっており、反射塗料層１４２は発光手段１３の発光部１３２からの光を導光手段１５に反射することができるように、ポリエチレンテレフタレート層１４１の発光部１３２及び導光手段１５に向かっている一面に塗布形成されている。
【０００５】
この構成により、可撓性材料により形成された反射シート１４は金属サポータ１２により支持されているので、組み立て作業が便利となり、不良品の発生率を効果的に抑えることができる。
【先行技術文献】
【特許文献】
【０００６】
【特許文献１】台湾実用新案公告第Ｍ３４４４４３号明細書
【発明の概要】
【発明が解決しようとする課題】
【０００７】
図４に示されている構成では可撓性を有する反射手段が変形し易いという問題を解決できたが、金属材料を多用するため、重量が重くなるという問題点がある。また、金属材料のコストは比較的高く、変動が多いため、安定供給という面からも問題がある。
【０００８】
上記問題に鑑みて、本発明は従来のＬＥＤ式バックライトモジュールを更に改良し、組み立て作業が便利で不良品の発生率が低い上、低コスト化且つ軽量化できる発光装置及び該発光装置を備えたバックライトモジュールの提供を目的とする。
【課題を解決するための手段】
【０００９】
上記目的を達成するために、本発明は、一側に開口を有している断面コ字形の反射フレームの前記開口の反対側の側壁に、発光手段が設置されている発光装置であって、前記反射フレームは、ポリエステルシートからなる外面層と反射フィルムからなる内面層とにより形成されており、前記発光手段は、回路基板と該回路基板の一面に取り付けられている複数の発光ユニットとからなり、且つ、前記回路基板が前記側壁の外にあり、前記複数の発光ユニットがそれぞれ前記側壁を貫通して前記反射フレームの内側に露出するように設置されていることを特徴とする発光装置を提供する。
【００１０】
上記発光装置において、前記側壁には、複数の通孔が、前記複数の発光ユニットに対応して、且つ、それぞれ前記外面層及び前記内面層を一斉に貫通するように形成されており、また、前記複数の発光ユニットは、前記複数の通孔より前記反射フレーム内に露出するように構成されていることが好ましい。
【００１１】
上記発光装置において、前記複数の発光ユニットは、いずれも発光ダイオードモジュールであることが好ましい。
【００１２】
上記発光装置において、前記内面層である反射フィルムは、ポリエチレンテレフタレート材からなったものであって、前記外面層であるポリエステルシートに貼り付けられており、また、その前記貼付けによって外部に露出する面には銀塗料が塗布されていることが好ましい。
【００１３】
更に、本発明は上記発光装置と、光進入面と、該光進入面とそれぞれ直交している光反射面及び光出力面とを有していて前記光進入面から光を導入して前記光出力面から出射することができる導光体とからなり、且つ、前記導光体は、前記開口から、前記光進入面が前記複数の発光ユニットに臨むように前記反射フレーム内に貫挿されていることを特徴とするバックライトモジュールをも提供する。
【００１４】
上記バックライトモジュールにおいて、前記導光体は、板状体に形成されており、前記導光体における光進入面も、前記反射フレームにおける側壁の前記導光体に面している一面も、平面であり、前記複数の発光ユニットは、前記反射フレームにおける側壁からそれぞれ突出して一列に並び、また、前記反射フレームは、前記側壁の側から、前記導光体の該側壁に近い周縁を、前記一列になっている複数の発光ユニットが前記導光体における光進入面と平行になるように挟むように構成されていることが好ましい。
【００１５】
上記バックライトモジュールにおいて、前記導光体の前記周縁にある反射面と前記反射フレームの前記周縁を挟んでいる箇所との間に、更に反射シートが介在していることが好ましい。
【００１６】
上記バックライトモジュールにおいて、該バックライトモジュールは取付座を更に備えており、該取付座は、互いに直交している第一の側板と第二の側板とからなっており、且つ、該第一の側板が前記反射フレームにおける前記側壁と共に前記回路基板を挟み、該第二の側板が前記光反射面から前記導光体を保持するように配置されていることが好ましい。
【発明の効果】
【００１７】
上記構成による本発明の発光装置及びバックライトモジュールは、ポリエステルシートからなる外面層と反射フィルムからなる内面層とにより反射フレームを形成するので、ポリエチレンテレフタレート材の反射フィルムを安価で軽く、且つ十分な強度を有するポリエステル材料で支持することができ、且つ金属サポータ内に発光手段の回路基板及び反射シートを設置する工程も必要とせず、ポリエステル材料により支持される反射フレームを発光手段の回路基板に取り付ける作業で一度に達成できるので、組み立て作業がより簡便になり不良品の発生率も低い上、低コスト化且つ軽量化できる発光装置及び該発光装置を備えたバックライトモジュールを提供することができる。
【図面の簡単な説明】
【００１８】
【図１】本発明の発光装置の構成が示されている分解図である。
【図２】本発明の発光装置の構成が示されている断面図である。
【図３】本発明のバックライトモジュールの構成が示されている断面図である。
【図４】従来のバックライトモジュールの構成の一例が示されている断面図である。
【発明を実施するための形態】
【００１９】
以下、図面を参照しながら、本発明の発光装置及び該発光装置を備えたバックライトモジュールの構成について詳しく説明する。図１及び図２では本発明の発光装置の構成が示されており、図１は分解図であり、図２は断面図である。
【００２０】
図１及び図２に示されているように、本発明の発光装置４は一側に開口４３０を有している断面コ字形の反射フレーム４３と、発光手段４２とからなるものであり、そのうち、発光手段４２は反射フレーム４３の開口４３０の反対側の側壁４３１に設置されている。
【００２１】
この反射フレーム４３は、ポリエステルシートからなる外面層４３３と反射フィルムからなる内面層４３４とにより張り合わされた二重構造であり、内面層４３４は上記断面コ字形の内側に配置されている。
【００２２】
側壁４３１には、複数の通孔４３５がそれぞれ外面層４３３及び内面層４３４を一斉に貫通するように形成されている。
【００２３】
発光手段４２は、回路基板４２１と該回路基板４２１の一面に取り付けられていると共に、一列に並んでいる複数の発光ユニット４２４とからなるものであり、回路基板４２１が反射フレーム４３の側壁４３１の外側に配置され、複数の発光ユニット４２４は、側壁４３１に形成された各通孔４３５をそれぞれ通して反射フレーム４３の内側に露出している。
【００２４】
ここで、発光ユニット４２４は、いずれも発光ダイオードモジュールであり、内面層４３４である反射フィルムは、ポリエチレンテレフタレート材の表面に銀塗料を塗布したもので、外面層４３３であるポリエステルシートに貼り付けられている。ちなみに、反射フィルムの銀塗料はポリエチレンテレフタレート材の外部に露出する面、即ちポリエステルシートに接触しない一面に塗布されている。
【００２５】
続いて、図３を用いて本発明のバックライトモジュールの構成について詳しく説明する。図示されているように、本発明のバックライトモジュールは上記発光装置４を備えたものであり、該発光装置４以外に、更に導光体５と取付座７とを更に備えている。
【００２６】
導光体５は板状体に形成されており、平面に形成された光進入面５１１と、該光進入面５１１とそれぞれ直交し且つ平面に形成された光反射面５１３及び光出力面５１２と、を有しており、光進入面５１１から発光ユニット４２４の光を導入して光出力面５１２から出射できるように作製されたものである。また、導光体５は、光進入面５１１の一側から反射フレーム４３の開口４３０を経由して反射フレーム４３内に貫挿され、光進入面５１１が前記複数の発光ユニット４２４に臨むように配置されている。
【００２７】
また、反射フレーム４３の側壁４３１の導光体５に面している一面も平面に形成され、導光体５の光進入面５１１に密着しており、反射フレーム４３は側壁４３側から延伸し、導光体５の光反射面５１３及び光出力面５１２の側壁に隣接している周縁の一部を挟む延伸部４３６、４３７が形成されている。
【００２８】
導光体５の光反射面５１３と反射フレーム４３の光反射面５１３に面している延伸部４３７との間に反射シート６１が介在している。
【００２９】
取付座７は、互いに直交している第１の側板７１と第２の側板７２とからなり、該第１の側板７１が反射フレーム４３における側壁４３１と共に回路基板４２１を挟み、該第２の側板７２が導光体５の光反射面５１３の一側から導光体５を保持できるように配置されている。
【産業上の利用可能性】
【００３０】
上記構成により本発明の発光装置及びバックライトモジュールは、ポリエステルシートからなる外面層と反射フィルムからなる内面層とにより反射フレームを形成するので、ポリエチレンテレフタレート材の反射フィルムを安価で軽く、且つ十分な強度を有するポリエステル材料で支持することができ、組み立て作業が便利で不良品の発生率が低い上、低コスト化且つ軽量化できる発光装置及び該発光装置を備えたバックライトモジュールを提供することができる。
【符号の説明】
【００３１】
４  発光装置
４２  発光手段
４２１  回路基板
４２４  発光ユニット
４３  反射フレーム
４３０  開口
４３１  側壁
４３３  外面層
４３４  内面層
４３５  通孔
４３６、４３７  延伸部
５  導光体
５１１  光進入面
５１２  光出力面
５１３  光反射面
６１  反射シート
７  取付座
７１  第１の側板
７２  第２の側板
【図１】
2012054008.tif 000003
【図２】
2012054008.tif 000004
【図３】
2012054008.tif 000005
【図４】
2012054008.tif 000006